【事件の表示】
　特許第２８５０９１０号「光ファイバの切断装置」の請求項に係る特許に対する特許異議の申立てについて、　次のとおり決定する。
【結　論】
　訂正を認める。
　特許第２８５０９１０号の特許請求の範囲第１項に記載された発明についての特許を維持する。
【理　由】
１．手続の経緯
　特許第２８５０９１０号の請求項１に係る発明は、昭和６３年６月２２日に特許出願され、平成１０年１１月１３日にその特許の設定登録がなされ、その後、異議申立人加藤直子より特許異議の申立がなされ、取消理由通知がなされ、その指定期間内である平成１１年１１月１９日に訂正請求がなされたものである。
２．訂正の適否についての判断
（2-1）訂正の内容
　特許請求の範囲の請求項１中の「上記枕が加傷刃と接触しないようにするため枕の水平方向移動ストロークのうち規定の位置以外では枕が降下しないようなインタロック」とあるを「上記枕が加傷刃と接触しないようにするため加傷刃の水平方向移動ストロークのうち規定の位置以外では枕が降下しないようなインタロック」と訂正するとともに、これとの整合をはかるために発明の詳細な説明の（課題を解決するための手段）の欄の一部を訂正請求書の訂正事項ｂ、ｃのとおりに訂正する。
（2-2）訂正の目的の適否
　上記訂正は、明細書及び図面の記載からみて明らかな誤記の訂正であり、願書に最初に添付した明細書又は図面に記載した事項の範囲内のものであり、実質上特許請求の範囲を拡張し、又は変更するものでなはない。
（2-3）独立特許要件の判断
  当審における取消理由は、特許請求の範囲及び発明の詳細な説明の「枕の水平方向移動ストローク」の「枕」の記載は、明細書及び第５図、第７図の記載からみて、誤記と認められるから、本件の請求項１に係る特許は、特許法第３６条に規定する要件を満たしていない特許出願に対してなされたものである、というにある。
　しかし、上記誤記は、訂正請求により訂正されたから、取消理由は解消された。
  又、以下、３．特許異議申立に対する判断でも述べるように、本件発明は特許出願の際独立して特許を受けることができるものである。
（2-4）むすび
　したがって、上記訂正請求は、特許法等の一部を改正する法律（平成６年法律第１１６号）附則第６条第１項の規定によりなお従前の例によるとされる、平成６年改正前の特許法第１２６条第１項ないし３項の規定に適合するので、当該訂正を認める。
３．特許異議申立に対する判断
（3-1）特許異議申立ての理由の概要
　特許異議申立人；加藤直子は、甲第１号証を提出して、本件の請求項１に係る発明は、その出願日前の他の特許出願であって本願発明の出願後に出願公開された、特願昭６２−２６８７２７号（特開平１ー１１２２０６号公報）の願書に最初に添付した明細書又は図面（以下、「先願明細書」という。）に記載された発明と同一であり、特許法第２９条の２第１項の規定に該当するから、本件発明の特許を取り消すべき旨主張している。
（3.2）本件発明
　訂正された請求項１に係る発明（以下、「本件発明」という。）は、訂正明細書及び図面の記載からみて、その特許請求の範囲の請求項１に記載された事項により特定される次のとおりのものである。
「開閉自在なクランプ機構により光ファイバを空中に保持した状態で、加傷刃を光ファイバ軸に対して直角方向に直線駆動させて光ファイバに初期傷を付与した後、枕により光ファイバを屈曲切断させる光ファイバの切断装置において、上記枕が加傷刃と接触しないようにするため加傷刃の水平方向移動ストロークのうち規定の位置以外では枕が降下しないようなインタロック、及び光ファイバを切断した後、対向する２つの端面が接触しないように枕の降下に連動して光ファイバのクランプを開けるてこレバー機構を設けたことを特徴とする光ファイバの切断装置。」
（3.3）先願明細書記載の発明
　先願明細書には、
「切断刃３４は、アーム５２の下方を水平に移動する。」（２頁右下欄４〜５行）、
「（１）アーム５２を起立させ、蓋４２を開き、さらに第１クランプ１６の押え２０も開き、光ファイバ１０をセットする。（２）押え２０を閉じ、蓋４２を閉じて、光ファイバ１０を把持する。（３）上記のように切断刃３４により裸ファイバ１４に傷を付ける。（４）アーム５２を倒し、押し具３６を押し下げて、裸ファイバ１４を切断する。（５）押し具３６を押し下げるとき、アーム５２とアーム５０も同時に下がる。アーム５０が下がると（第３ｂ図）、その下面がてこ５４の端部６０に接し、かつそれを押し下げる。すると、反対側の端部５８が上がり、蓋４２を押し上げ（磁石４４の力に打勝って）、クランプ２２と２８が少し開く。」 （２頁右下欄１３行〜３頁左上欄９行）、
「押し具によって切断された光ファイバが押し曲げられた状態にあるうちに、押し具の両側にあるクランプを少し開放して、光ファイバが移動できる状態にし、その後前記押し具を退去させ、光ファイバをとり出すので、（１）切断後に光ファイバの端面同士が強く衝突するということがなく、端面の損傷が防止される。」（３頁右上欄１８行〜左下欄４行）と記載されている。
（3.4）当審の判断
　本件発明と上記先願明細書記載のもの（以下、「先願発明」という。）とを比較する。
  先願発明の「第１クランプ１６の押え２０及び蓋４２」、「切断刃」、「アームの下方を水平に移動する」、「押し具３６」及び「てこ５４」は、
本件発明の「クランプ機構」、「加傷刃」、「光ファイバ軸に対して直角方向に直線駆動させ」、「枕」及び「てこレバー機構」にそれぞれ相当するから、両者は、
「開閉自在なクランプ機構により光ファイバを空中に保持した状態で、加傷刃を光ファイバ軸に対して直角方向に直線駆動させて光ファイバに初期傷を付与した後、枕により光ファイバを屈曲切断させる光ファイバの切断装置において、光ファイバを切断した後、対向する２つの端面が接触しないように枕の降下に連動して光ファイバのクランプを開けるてこレバー機構を設けたことを特徴とする光ファイバの切断装置。」
の発明で一致し、下記の点で相違する。
　相違点；本件発明は、上記枕が加傷刃と接触しないようにするため加傷刃の水平方向移動ストロークのうち規定の位置以外では枕が降下しないようなインタロックを設けたのに対し、先願発明は、この点の構成を有しない。
　上記相違点につき検討する。
  加傷刃を光ファイバ軸に対して直角方向に直線駆動させて光ファイバに初期傷を付与する光ファイバの切断装置の分野において、枕が加傷刃と接触しないようにするためにインタロックを設けることが周知慣用手段であるとは認められない。
　したがって、本件発明は、先願明細書に記載された発明と同一であるとすることはできない。
４．むすび
　以上のとおりであるから、特許異議申立ての理由及び証拠によっては本件発明の特許を取り消すことはできない。
　また、他に本件発明の特許を取り消すべき理由を発見しない。  
　よって、結論のとおり決定する。
【異議決定日】
平成１２年１月２７日（２０００．１．２７）
【訂正の要旨】
訂正の要旨
　▲１▼　訂正事項ａ
　特許請求の範囲の請求項１中の「上記枕が加傷刃と接触しないようにするため枕の水平方向移動ストロークのうち規定の位置以外では枕が降下しないようなインタロック」を、「上記枕が加傷刃と接触しないようにするため
加傷刃
　▲２▼　訂正事項ｂ
　平成８年９月２日付け手続補正書２頁４行乃至５行（特許掲載公報第２頁右欄第１６行乃至第１８行）の「上記枕が加傷刃と接触しないようにするため枕の水平方向移動ストロークのうち規定の位置以外では枕が降下しないインタロック」を「上記枕が加傷刃と接触しないようにするため
加傷刃
　▲３▼　訂正事項ｃ
　出願当初明細書１４頁４行乃至６行の記載に対応する平成１０年７月２８日付け手続補正書２頁１６行乃至１８行（特許掲載公報第４頁左欄第１３乃至１５行）の「枕（７）の水平方向移動ストロークのうち特定個所のみにててこレバー（１２）の降下を許容するインタロック板（１４）が設けられている」を「
加傷刃（５）
（５４）【発明の名称】
　光ファイバの切断装置
（５７）【特許請求の範囲】
　（１）開閉自在なクランプ機構により光ファイバを空中に保持した状態で、加傷刃を光ファイバ軸に対して直角方向に直線駆動させて光ファイバに初期傷を付与した後、枕により光ファイバを屈曲切断させる光ファイバの切断装置において、上記枕が加傷刃と接触しないようにするため
加傷刃
　（２）光ファイバを把持する開閉自在なクランプ機構の回転中心と、光ファイバを直接把持するクランプ面と、クランプ機構の閉じた位置を規定するストッパが、同一水平面に設けられていることを特徴とする請求項（１）記載の光ファイバの切断装置。
　（３）加傷刃の上下微動回転中心と、加傷刃の固定中心と、加傷刃の上下微動調整ネジと、上下微動固定ネジが、この順に配列されており、微動固定ネジを一旦緩めてから微動調整ネジを回転して加傷刃を上下させ、その後微動固定ネジを締めるよう構成されていることを特徴とする請求項（１）記載の光ファイバの切断装置。
　（４）加傷刃の形状が円形で、その中心の固定用穴により回転自在に係止できるとともに、回転割り出し用として少なくとも一方の側面にＶ溝が形成されており、それぞれ先端がテーパ状のネジ又はピンで締付け、位置出しして加傷刃上下ブロックに固定することを特徴とする請求項（１）記載の光ファイバの切断装置。
　（５）光ファイバの端末部を把持固定した固定治具を容易に規定の位置に案内する固定治具位置決め溝と、上記固定治具の上蓋を押える固定治具押えを具え、光ファイバの切断完了時まで光ファイバを確実に把持し、完了時に上蓋を押える力を利用して光ファイバクランプ機構を開くことを特徴とする請求項（１）記載の光ファイバの切断装置。
　（６）加傷刃のスライド機構と連動して１往復ごとに加傷刃が微回転することを特徴とする請求項（１）記載の光ファイバの切断装置。
　（７）光ファイバの切断後の屑を装置の外へ排出する屑排出レバーが付属していることを特徴とする請求項（１）記載の光ファイバの切断装置。
【発明の詳細な説明】
（産業上の利用分野）
　本発明は光ファイバの接続等において、光ファイバを切断する装置、特に複数の光ファイバを共通の被覆で一体化した多心光ファイバの高精度（切断不揃い小、端面が直角）な切断端面を得る切断装置に関するものである。
（従来の技術）
　従来、光ファイバの切断は「応力破断法」と呼ばれる手法が用いられてきた。この方法は、光ファイバの側面に非常に硬い刃物で初期傷を与え、その後光ファイバに曲げ或いは／及び引張りの応力を加えて破断する方法である。このための簡易な工具としてはホチキス様の工具が広く用いられている。
　第１０図は従来の光ファイバ切断工具の一例の説明図である。この工具は、内側先端部に加傷刃（１０３）を具えた把手（１０１）と、該把手（１０１）に枢軸（１０５）を介して対向させて設けたバネプレート（１０２）及び光ファイバの先端部を把持するためのバネで圧力がかけられるようになったクランプ（１０４）により構成されている。
　第１１図（イ）〜（ハ）はこのような切断工具を用いた光ファイバの切断手順の説明図である。
　▲１▼まず、光ファイバ（Ａ）を同図（イ）に示すようにバネプレート（１０２）上にセットし、その先端をクランプ（１０４）で把持する。
　▲２▼次に同図（ロ）のように、把手（１０１）を下に降し、加傷刃（１０３）で光ファイバ（Ａ）に微小な初期傷（Ａ’）を付与する。
　▲３▼しかる後、光ファイバ（Ａ）とバネプレート（１０２）を指で押えながら、バネプレート（１０２）を図のように下方に曲げると、光ファイバ（Ａ）は前記の初期傷の部分（Ａ’）で曲げ応力によって切断され、切断端面（Ｂ）が得られる。
（解決しようとする課題）
　しかし、上述のような切断工具を用いての光ファイバの切断には次のような問題点が存在した。
　▲１▼光ファイバが曲がり易いバネプレート上にセットされるため、初期傷を付与する際に光ファイバが動き易く、結果として傷が大きくなりすぎる。
　▲２▼初期傷が必要以上に大きいと、光ファイバが鏡面状に切断されないか、又は斜めに切断される。
　▲３▼初期傷が大きいと、切断位置が一定せず、多心光ファイバの場合に切断位置が一定しないと、切断不揃いが生じ、後工程の接続品質が低下する。
（課題を解決するための手段）
　本発明は上述の問題点を解消し、応力破断法の原理に基づき、特に多心光ファイバの高精度切断のために、均一でかつ安定した初期傷を付与し、切断する機構を具えた切断装置を提供するもので、その特徴は、開閉自在なクランプ機構により光ファイバを空中に保持した状態で、加傷刃を光ファイバ軸に対して直角方向に直線駆動させて光ファイバに初期傷を付与した後、枕により光ファイバを屈曲切断させる光ファイバの切断装置において、上記枕が加傷刃と接触しないようにするため
加傷刃
　第１図は本発明の光ファイバ切断装置の構成図で、同図（イ）は光ファイバのクランプアーム及び枕アームを閉じた状態の外観図、同図（ロ）は上記両アームを開いた状態の外観図である。
　図面において、（１）は切断装置ベース、（２）はクランプアーム、（３）は枕アームで、クランプアーム（２）及び枕アーム（３）はベース（１）に対して開閉自在に設けられている。
　上記切断装置のベース（１）には、光ファイバに初期傷を付与する加傷刃（５）及びそのスライド機構（６）を挟んだ両側に下部クランプ部材（４ｂ）、上記加傷刃（５）及びそのスライド機構（６）、光ファイバを把持固定した固定治具の位置決め溝（８）、クランプアーム（１）を吸着固定するマグネット（９）及び切断された光ファイバ屑の排出レバー（１１）が第１図（ロ）の関係位置に設けられている。
　又クランプアーム（２）には、前記下部クランプ部材（４ｂ）の対応位置に上部クランプ部材（４ａ）が、固定治具の位置決め溝（８）上の対応する位置には固定治具を固定する固定治具押え部材（１０）が設けられており、枕アーム（３）には光ファイバを屈曲切断する枕（７）が設けられている。
　第２図（イ）は光ファイバ（Ａ）と加傷刃（５）の位置関係の説明図で、平行に配列された複数の光ファイバ（Ａ）の軸方向に対して直角方向に加傷刃（５）が位置しており、この加傷刃（５）の上端は光ファイバ（Ａ）の下側面より上にあり、従って光ファイバ（Ａ）を切込み、第２図（ロ）に示すように光ファイバ（Ａ）の下側面に初期傷（Ｂ）が付与される。
　第３図は光ファイバの初期傷の付与と、初期傷が入った後の切断前後の枕の動きの説明図である。
　光ファイバ（Ａ）は上下のクランプ部材（４ａ）（４ｂ）によって水平状態で確実に空中に保持されており、加傷刃（５）にてその下側面に初期傷が付与された後、枕（７）が下降して光ファイバ（Ａ）に曲げ応力を与えて光ファイバ（Ａ）を切断する。（同図ロ）
　この時、クランプ部材（４ａ）（４ｂ）は極めて正確に光ファイバ（Ａ）を把持し、ねじれ応力の発生、光ファイバのぬけ出し等を防止することが必要である。これを調査したのが第４図で、加傷刃の材質には超硬合金を用い、（イ）が切込み（ｘ）と初期傷の深さ（ｄ）の関係、（ロ）が切込み（ｘ）と不揃い量（ｌ）の関係、（ハ）が初期傷の深さ（ｄ）と切断端面の関係、（ニ）が切込み（ｘ）と端面角度（θ）の関係を示している。なお、（ホ）は切込み（ｘ）、（へ）は初期傷の深さ（ｄ）、（ト）は不揃い量（ｌ）、（チ）は切断端面、（リ）は端面角度（θ）のそれぞれ説明図である。
　上記（イ）〜（ニ）の関係図を総合するとき、良好は切断端面を得るためには、およそ５〜１０μｍの初期傷を付与する必要があり、そのためには切込みは２０〜５０μｍとしなければならない。
　第５図は加傷刃（５）の固定とスライド機構（６）との説明図である。
　同図（イ）は加傷刃のスライド部の構造図で、同図（ロ）は（イ）図のＸ１−Ｘ１矢視図である。スライドベース（６２）に対して加傷刃（５）の上下ブロック（６１）は刃圧調整のために回転可能に設けられており、その回転中心（６６）と加傷刃（５）の固定穴（５ａ）、微調整ネジ（６５）及び固定ネジ（６４）がこの順で前記加傷刃（５）の上下ブロック（６１）に設けられている。さらに前記スライドベース（６２）は直線ガイド（６３）上に設置されており、これにより直線駆動を行なう。なお、スライドベース（６２）の側面には後述する枕（７）降下ストッパー（６７）が設けられている。
　上記微調整ネジ（６５）には極めて細かいピッチのネジが形成されており、例えば微調整ネジのピッチを０．３５ｍｍ、回転中心と刃固定穴の距離対刃固定穴と微調整ネジの距離を１対１とすれば、微調整ネジ（６５）の１回転で加傷刃（５）は０．１７５ｍｍ上昇することになる。従って、前述の２０〜５０μｍの切込みを得るには０．１１から０．２９回転即ち、４０°から１００°の回転角となり、充分人手で調整可能である。
　同図（ハ）は上記スライド機構（６）に設置された加傷刃（５）とクランプ（４ａ）（４ｂ）によって把持された光ファイバ（Ａ）の位置関係を示す図で、加傷刃（５）がスライド機構（６）によって矢印の方向へ直線移動し、点線（５′）の位置に至る過程において、光ファイバ（Ａ）に初期傷が付与される。
　同図（ニ）は同図（イ）の機構とは若干異なり、加傷刃（５）をその中心穴の回りに回転可能とし、スライド動作１往復の間に少しづつ加傷刃を回転させて、常に光ファイバに加傷刃の違った個所を接触させるようにしたもので、同図（ホ）は（ニ）図のＸ２−Ｘ２矢視図である。図に示すように、前記（イ）図の刃圧の回転中心（６６）と同心状にギャＡ（６８）が設けられており、これと加傷刃（５）の回転軸（５ｂ）に設けたギャＢ（６９）がタイミングベルト（７０）で連結されており、スライド機構（６）の１往復毎にギャ回転用引っかけ爪（７１）とギャＡ（６８）の動作により加傷刃（５）を回転させる。
　同図（へ）は加傷刃（５）の固定方法の説明図で、同図（ト）は加傷刃（５）の平面図である。加傷刃（５）には中心穴（５１）及び一定の円周上に複数個の穴（５２）が設けられており、上記２種類の穴（５１）（５２）に先端にテーパを形成したネジ又はピン（５３）（５４）を挿入して加傷刃上下ブロックに固定する。この利点は、▲１▼ネジ又はピンを少し緩めるだけで加傷刃（５）の回転が可能であり、▲２▼完全にネジ又はピンを抜き取ってしまわなくても加傷刃（５）の交換が可能であることである。さらに加傷刃の位置決めが容易にできることである。
　第６図はクランプアーム（２）とクランプ部材（４ａ）（４ｂ）及び光ファイバ（Ａ）把持の位置関係図である。
　同図（イ）は装置の光ファイバ軸に対して直角な縦断面図である。クランプアーム（２）の回転中心（４１）、クランプ部材の光ファイバ把持面（４２）及びマグネット（９）を組み込まれたストッパ（９１）の上面が同一平面上に形成されており、以下に述べるクランプ力の調整を容易にしている。
　同図（ロ）はクランプ力の調整の説明図で、クランプアーム（２）と上部クランプ部材（４ａ）の問に隙き間板（４４）を挿入し、平行にクランプ部材（４ａ）（４ｂ）を上下させることで、上下方向に調整を可能にしている。同図（ハ）は、隙き間板（４４）の厚みと把持圧の関係を示すが、把持圧が隙き間板（４４）の厚みで一義的に決まるため、把持圧が容易に調整が可能なことを示している。
　同図（ニ）は比較例で、クランプ部材（４ａ）（４ｂ）をセットビス（４５）により上下方向に調整可能とした構造であるが、▲１▼点接触のためクランプを繰り返えす毎に固定が不安定となり、▲２▼基準となる面がクランプ面に対して垂直なため、部品の高い加工精度が要求される等の欠点がある。従って、図（ロ）の構造の方がずれ難く、平面のみの加工でよいため、長時間にわたっての信頼性にすぐれている。
　第７図は枕（７）の降下によっててこレバー（１２）が回転し、クランプアーム（２）が、開く連動動作、及びインタロックの説明図である。図中、（イ）（ロ）及び（ホ）は第１図の左方向から見た図であり、（ロ）は手前にある枕アーム（３）を省略したものである。
　同図（イ）に示すように、枕（７）の降下によって、枕アーム（３）に設けたピン（３１）がてこレバー（１２）の一端のピン（１２２）を押し上げ、同図（ロ）のようにてこレバー（１２）の他端を上昇させる。これによりマグネットで吸着していたクランプアーム（２）がてこレバー（１２）の他端のピン（１２３）に押し上げられ、軸（２１）を中心として上方に開き、マグネットの効かない位置にいたる。このとき、クランプアーム（２）に設けられている固定治具押え治具（１０）がスプリングの作用によってクランプアーム（２）を押し上げるので、クランプアーム（２）はこの押し上げ力と釣り合う位置以下には下降しない（図ハ）。なお、図中（１３）は周知の光ファイバ固定治具を示す。
　又枕（７）が加傷刃（５）と接触しないようにするため、加傷刃（５）の水平移動ストロークのうち特定個所のみにててこレバー（１２）の降下を許容するインタロック板（１４）が設けられている。第７図（ニ）はスライド機構（６）の正面から見たもので、枕アーム（３）が降下途中で、てこレバー（１２）に接触直前の状態を示しており、同図（ホ）は同じ図を側面方向から示したものである。ここでインタロック板（１４）はスライド機構（６）に搭載され、装置ベース（１）に枢軸連結されたてこレバー（１２）とは、スライドする範囲の一部でしか枕アーム（３）の下降を許容しない。
　第８図は光ファイバの切断屑（Ａ’）を排出するレバー（１１）の説明図で、ピン（１１ａ）により装置ベース（１）の下部に枢着されており、矢印部を下方に押すことにより、上記ピン（１１ａ）を中心として屑排出レバー（１１）は回転し、先端部が上昇して光ファイバ屑（Ａ’）と接触し、図の左方向に傾斜させ、光ファイバ屑（Ａ’）は装置ベース（１）の左側に落ちる。屑排出レバー（１１）の先端部は十分に長く、光ファイバテープ心線の全幅を受けることができ、一括して排出可能である。
　第９図は加傷刃（５）の固定手段の他の例の説明図で、同図（イ）は加傷刃（５）の正面図、同図（ロ）は（イ）図のＸ３−Ｘ３断面図である。第５図（ホ）の他に、第９図のように、固定用穴とは別個に、回転割り出し用として少なくとも、加傷刃（５）の１側面にＶ溝（５３）を形成し、該溝（５３）に先端がＶ状のネジ又はピン（５４）を押しつけて加傷刃ブロックに固定してもよい。
（発明の効果）
　以上説明したように、本発明の切断装置によれば、多心光ファイバのみならず、単心光ファイバにおいても、高精度で切断が実現でき、光ファイバの低損失な接続が可能となるばかりでなく、光ファイバの測定においても高い再現性が維持可能となり、作業性の高効率化がはかれる。
【図面の簡単な説明】
　第１図は本発明の光ファイバ切断装置の構成図で、同図（イ）はクランプアーム及び枕アームを閉じた状態の外観図、同図（ロ）は上記両アームを開いた状態の外観図である。
　第２図（イ）は光ファイバと加傷刃の位置関係の説明図、同図（ロ）は初期傷の説明図である。
　第３図（イ）は光ファイバヘの初期傷の付与、同図（ロ）は切断前後の枕の動きの説明図である。
　第４図は切込みと初期傷の深さの関係図（イ）、切込みと不揃い量の関係図（ロ）、切断端面と初期傷の深さの関係図（ハ）、切込みと端面角度の関係図（ニ）であり、同図（ホ）は切込み、（へ）は初期傷の深さ、（ト）は不揃い量、（チ）は切断端面、（リ）は端面角度のそれぞれ説明図である。
　第５図は加傷刃とスライド機構の説明図で、同図（イ）は加傷刃とスライド部の構造図、同図（ロ）は（イ）図のＸ１−Ｘ１矢視図、同図（ハ）は加傷刃と光ファイバの位置関係図、同図（ニ）は加傷刃の上下機構の他の構造例の説明図であり、（ホ）は（ニ）図のＸ２−Ｘ２矢視図、同図（ヘ）は加傷刃の固定方法の説明図であり、同図（ト）は（ヘ）図の加傷刃の正面図である。
　第６図はクランプアームとクランプ部材及び光ファイバの把持位置の関係図で、同図（イ）は装置の光ファイバ軸に対して直角な縦断面図、同図（ロ）はクランプ力の調整の説明図、同図（ハ）は隙き問板の厚みと把持力の関係図、同図（ニ）は比較例の説明図である。
　第７図（イ）〜（ハ）は枕の効果によって、てこレバーが回転し、クランプアームが開く連動動作の説明図、同図（ニ）及び（ホ）はインタロックの説明図である。
　第８図は光ファイバの切断屑の排出レバーの説明図である。
　第９図は加傷刃の回転割り出しのための固定構造の他の説明図で、同図（イ）は加傷刃の正面図、同図（ロ）は（イ）図のＸ３−Ｘ３断面図である。
　第１０図は従来の切断工具の側面図、第１１図（イ）〜（ハ）は上記工具による切断の手順の説明図である。
　Ａ……光ファイバ、
　１……装置ベース、２……クランプアーム、３……枕アーム、４ａ、４ｂ……クランプ部材、５……加傷刃、６……スライド機構、７……枕、８……固定治具位置決め溝９……マグネット、１０……固定治具押え部材、１１……屑排出レバー、１２……てこレバー、１３……光ファイバ固定治具、１４……インタロック、４４……隙き間板、５１……加傷刃中心穴、５２……加傷刃円周穴、５３……Ｖ溝、６１……加傷刃上下ブロック、６２……スライドベース、６３……直線ガイド、６３……加傷刃固定ネジ、６５……加傷刃微調整ネジ、６６……回転中心。